(57)【要約】【課題】ホルダー棒の先端に取り付けたカードホルダーの向きを、容易に変えることができる商品陳列フック用カードホルダーを提供する。【解決手段】カードを差し入れ・取り出し可能に収容するホルダー本体５と、ホルダー棒の曲折先端部に嵌着される支持部２０と、ホルダー本体の背面に突設され支持部の両側を挟持するように回動可能に支持部に嵌合される回動支持部６，７と、を備える。支持部２０には、両側に突出する軸部２１，２２と凸部２３，２４が設けられ、回動支持部６，７の内側には、軸部２１，２２が嵌合する軸受孔８，９と凸部が嵌合する複数の凹部１０，１１が設けられる。回動支持部６，７が軸部を支点に予め設定した角度に回動したとき、凸部２３，２４が係合する位置に複数の凹部１２，１３が設けられる。【選択図】図１
2004029187.tif 000002
【特許請求の範囲】
【請求項１】
陳列棚の横棒等に対し前方に突出して装着され、商品を吊り下げるフック棒と、該フック棒の上方に位置しカードホルダーを支持するホルダー棒とを有する商品陳列フックのカードホルダーにおいて、
カードを差し入れ・取り出し可能に収容するホルダー本体と、前記ホルダー棒の曲折先端部に嵌着される支持部と、該ホルダー本体の背面に突設され該支持部の両側を挟持するように回動可能に該支持部に嵌合される回動支持部と、
を備え、該支持部には、両側に突出する軸部と凸部が設けられ、該回動支持部の内側には、該軸部が嵌合する軸受孔と該凸部が嵌合する複数の凹部が設けられ、該回動支持部が該軸部を支点に予め設定した角度に回動したとき、凸部が係合する位置に複数の凹部が設けられたことを特徴とする商品陳列フック用カードホルダー。
【請求項２】
前記支持部には、前記ホルダー棒の曲折先端部が嵌着する嵌着縦孔が設けられると共に、該ホルダー棒の水平部が嵌合可能な水平溝と傾斜溝が設けられ、該支持部の該ホルダー棒に対する装着角度を変えるとき、該曲折先端部を軸として該支持部を回動させ、該ホルダー棒の水平部が嵌合される位置を該水平溝または傾斜溝で変更して角度を変えることを特徴とする請求項１記載の商品陳列フック用カードホルダー。
【請求項３】
前記ホルダー棒の曲折先端部が真上に曲げられ、前記回動支持部の両内側には傾斜角度の異なる複数の凹部が設けられ、該支持部の凸部と該複数の凹部との嵌合を変えて、該支持部に対する該回動支持部の角度を上下に変更することを特徴とする請求項１記載の商品陳列フック用カードホルダー。
【請求項４】
前記ホルダー棒の曲折先端部が真横に曲げられ、前記回動支持部の両内側には傾斜角度の異なる複数の凹部が設けられ、該支持部の凸部と該複数の凹部との嵌合を変えて、該支持部に対する該回動支持部の角度を左右に変更することを特徴とする請求項１記載の商品陳列フック用カードホルダー。
【発明の詳細な説明】
【０００１】
【発明の属する技術分野】
本発明は、陳列棚の横棒等に対し前方に突出して装着される棒状の商品陳列フック用のカードホルダーに関し、特に、商品陳列フックのホルダー棒の曲折先端部に、嵌着される商品陳列フック用カードホルダーに関する。
【０００２】
【従来の技術】
従来、この種の商品陳列フックとして、側面視で、横向きＵ字形に曲折された金属棒の元部に、金属板をコ字状に曲折した装着部を固定し、その上側の金属棒（ホルダー棒）の先端に、プライスカードホルダーを取り付けた構造のものが、一般に知られている（例えば、実公昭６０−６８６３号公報等参照）。この商品陳列フックは、その元部の装着部を陳列棚の横棒等に嵌着して前方に突出した形態で装着され、下側の金属棒（フック棒）に吊り下げ陳列用の商品を引っ掛け、商品を吊り下げるようにして陳列し、上側の金属棒（ホルダー棒）の先端部に嵌着されたカードホルダーには、商品の価格等を記したカードを入れ、それを表示する。
【０００３】
【発明が解決しようとする課題】
しかし、従来のこの種の商品陳列フック用のカードホルダーは、基本的にホルダー棒の曲折先端部に固定される構造であった。このため、陳列棚に装着された商品陳列フックの位置が比較的下方又は上方にあって、顧客の目の高さよりかなり低い又は高い場合、カードホルダーの表示面を、床面に対し垂直状態より、少し上向きに又は下向きにした方が、見やすい場合があるが、そのような場合であっても、上記の商品陳列フックのカードホルダーでは、その向きを変えることができないため、その表示面を正面より上方及び下方に変えることができるカードホルダーが要望されていた。
【０００４】
本発明は、上記の点に鑑みてなされたもので、ホルダー棒の先端に取り付けたカードホルダーの向きを、容易に変えることができる商品陳列フック用カードホルダーを提供することを目的とする。
【０００５】
【課題を解決するための手段】
上記目的を達成するために、本発明の商品陳列フック用カードホルダーは、陳列棚の横棒等に対し前方に突出して装着され、商品を吊り下げるフック棒と、フック棒の上方に位置しカードホルダーを支持するホルダー棒とを有する商品陳列フックのカードホルダーにおいて、カードを差し入れ・取り出し可能に収容するホルダー本体と、ホルダー棒の曲折先端部に嵌着される支持部と、ホルダー本体の背面に突設され支持部の両側を挟持するように回動可能に支持部に嵌合される回動支持部と、を備え、支持部には、両側に突出する軸部と凸部が設けられ、回動支持部の内側には、軸部が嵌合する軸受孔と該凸部が嵌合する複数の凹部が設けられ、回動支持部が軸部を支点に予め設定した角度に回動したとき、凸部が係合する位置に複数の凹部が設けられたことを特徴とする。
【０００６】
ここで、支持部には、ホルダー棒の曲折先端部が嵌着する嵌着縦孔を設けると共に、ホルダー棒の水平部が嵌合可能な水平溝と傾斜溝を設け、支持部のホルダー棒に対する装着角度を変えるとき、曲折先端部を軸として支持部を回動させ、ホルダー棒の水平部が嵌合される位置を水平溝または傾斜溝で変更して角度を変えるように構成することができる。
【０００７】
また、ホルダー棒の曲折先端部が真上に曲げられ、回動支持部の両内側には傾斜角度の異なる複数の凹部が設けられ、支持部の凸部と複数の凹部との嵌合を変えて、支持部に対する回動支持部の角度を上下に変更するように構成することができる。
【０００８】
また、ホルダー棒の曲折先端部が真横に曲げられ、回動支持部の両内側には傾斜角度の異なる複数の凹部が設けられ、支持部の凸部と複数の凹部との嵌合を変えて、支持部に対する回動支持部の角度を左右に変更するように構成することができる。
【０００９】
【作用】
この商品陳列フックは、その元部を陳列棚の横棒等に嵌着して前方に突出した形態で装着され、下側のフック棒に吊り下げ陳列用の商品を引っ掛け、商品を吊り下げるようにして陳列し、上側のホルダー棒の曲折先端部に嵌着されたカードホルダーのホルダー本体内に、商品の価格等を記したカードを入れ、それを表示する。
【００１０】
例えば、陳列棚の高さなどから、カードホルダーの表示面を上又は下に、所定の角度だけ向きを変えて表示したい場合、カードホルダーのホルダー本体を上または下に回すと、ホルダー本体は、その背面の回動支持部と共に、支持部の軸部を支点に上又は下に回動し、支持部側の凸部と回動支持部側の凹部が嵌合した位置で、ホルダー本体がホルダー棒及び支持部に対し所定の上下角度で静止する。これにより、カードホルダーのホルダー本体の表示面を、上又は下に簡単に変更することができる。
【００１１】
また、例えば、売り場における顧客の移動動向などから、カードホルダーの表示面の向きを、右または左に変えて表示したい場合、ホルダー棒の曲折先端部から支持部を少し持ち上げ、その曲折先端部を軸に支持部を右又は左に回動させ、支持部の底部の傾斜溝をホルダー棒の水平部に嵌め込むように、再び元の位置に支持部を戻す。
【００１２】
これにより、支持部がホルダー棒に対し曲折先端部を軸にして所定の角度だけ回動した状態となり、支持部に回動支持部を介して組み付けられたカードホルダーの表示面の向きが、右又は左に所定の角度だけ向きを変える。このように、支持部のホルダー棒の曲折先端部に対する角度を変えて、カードホルダーの表示面の向きを左右に簡単に変更することができる。
【００１３】
【発明の実施の形態】
以下、本発明の実施の形態を図面に基づいて説明する。図１は、商品陳列フックのカードホルダー１の組み付け時の左側面図を示し、図２はその平面図を示している。商品陳列フックは、基本的には、側面視で横向き略Ｕ字形に配置された金属製のフック棒２とホルダー棒３の元部に、金属板をコ字状に曲折した装着部４を溶接し、ホルダー棒３の先端を略直角に上方に曲げてなる曲折先端部３ａに支持部２０を嵌着し、その支持部２０に対し、カードホルダー１のホルダー本体５の背面に突設した回動支持部６，７を、挟むように回動可能に嵌合させて構成される。
【００１４】
カードホルダー１のホルダー本体５は、例えば所定の厚さと矩形形状を持った板状に、合成樹脂材料を用いて一体成形され、内部にはカードを挿入するためのカード挿入部が板状空間として形成される。その上部はカードの出し入れ用に開口され、さらに、ホルダー本体５の背面に、カードの出し入れを容易にするために開口部が設けられて構成される。
【００１５】
図７に示すように、ホルダー本体５の背面には、２枚の板状の回動支持部６，７が突設される。回動支持部６，７は間隔をおいて配置され、それらの内側に各々軸受孔８，９が水平同軸上に設けられる。さらに、回動支持部６，７には、後述の支持部２０の両側の凸部２３，２４が嵌合する凹部１０，１１が、それらの両側に設けられる。
【００１６】
さらに、凹部１０，１１の上方には上傾斜凹部１２，１３が凹部１０，１１に対して上に傾斜して設けられ、凹部１０，１１の下方には下傾斜凹部１４，１５が下に傾斜して設けられる。この上傾斜凹部１２，１３及び下傾斜凹部１４，１５は凹部１０，１１と同様、支持部２０の両側の凸部２３，２４が、この回動支持部６，７つまりカードホルダー１の上または下への所定角度の回動時に嵌合する。
【００１７】
支持部２０は、図８に示すように、ホルダー棒３の曲折先端部３ａに嵌着可能な嵌着縦孔２５を設けると共に、両側に軸部２１，２２を突設し、さらに、両側に凸部２３，２４を突設して構成される。また、支持部２０の底面には、ホルダー棒３の曲折先端部３ａに続く水平部を嵌合するための水平溝２６が設けられると共に、その両側に傾斜溝２７，２８が設けられる。ホルダー棒３の曲折先端部３ａを嵌着縦孔２５に嵌着する場合、支持部２０が正面を向く状態で、ホルダー棒３の水平部は水平溝２６に嵌合され、支持部２０が右または左に向く状態では、ホルダー棒の水平部は傾斜溝２７または２８に嵌合される。
【００１８】
このように形成された支持部２０は、図９、図１０に示すように、上記ホルダー本体５の背面の回動支持部６，７の間に、その両側に突設した軸部２１，２２を軸受孔８，９に嵌入させ、両側の凸部２３，２４を凹部１０，１１に嵌め込み、装着される。支持部２０の両側の凸部２３，２４が回動支持部６，７の凹部１０，１１に嵌合された状態で、支持部２０に対し回動支持部側のホルダー本体５は正対姿勢を保持し正面を向いて配設される。
【００１９】
このような商品陳列フックは、図示しない陳列棚の横棒等に、その装着部４を上から嵌着し、陳列棚の手前に突出するように装着される。カードホルダー１は、ホルダー棒３の曲折先端部３ａに、例えばカードホルダー１の表示面を垂直姿勢で取り付けたい場合には、上記のように、支持部２０に対し回動支持部側のホルダー本体５は正対姿勢を保持し正面を向いた状態の支持部２０の嵌着縦孔２５に嵌めて取り付ける。このとき、図１のように、曲折先端部３ａは下側から嵌着縦孔２５に差し込まれ、この曲折先端部３ａホルダー棒３の水平部が支持部２０の底部の水平溝２６に嵌合し、容易に抜けない状態で嵌着される。
【００２０】
そして、カードホルダー１のホルダー本体５のカード挿入部には、価格、商品名などを記したカードが挿入される。カードホルダー１の向きを上下で変更したい場合、図１１のように、カードホルダー１をその回動支持部６，７の軸受孔８，９に嵌合された軸部２１，２２を中心にして上または下に回動して、上下に角度調整される。カードホルダー１の上への回動時、ホルダー本体５の回動支持部６，７の凹部１０，１１に嵌った支持部２０の凸部２３，２４は、そこから縁部を乗り越えて下傾斜凹部１４，１５に嵌入し、上向きの状態で保持される。また、カードホルダー１の下への回動時、ホルダー本体５の回動支持部６，７の凹部１０，１１に嵌った支持部２０の凸部２３，２４は、そこから縁部を乗り越えて上傾斜凹部１２，１３に嵌入し、下向きの状態で保持される。
【００２１】
このように、商品陳列フックのカードホルダー１は、凸部２３，２４と凹部１０、１１、凸部２３，２４と上傾斜凹部１２，１３または下傾斜凹部１４，１５との嵌合により、垂直姿勢から上向き或いは下向きの状態に、節度感をもってその上下の向きを簡単に変えることができる。
【００２２】
一方、カードホルダー１の表示面の向きを右または左に変える場合は、ホルダー棒３に対し支持部２０を少し持ち上げ、支持部２０の底部の水平溝２６に嵌っていたホルダー棒３の水平部をその水平溝２６から外し、傾斜溝２７または２８に嵌め変えることにより、支持部２０のホルダー棒３に対する向きを、その曲折先端部３ａを軸に右または左に所定の角度だけ変えた状態にして、図１２のように、その向きを変更する。
【００２３】
このとき、ホルダー棒３に対する支持部２０の回動は、カードホルダー１の可動支持部６，７の支持部２０に対する上下の向きの調整とは別個に行われるので、カードホルダー１の左右の向きの調整は、その上下の向きの影響を受けずに、独立して行うことができる。
【００２４】
フック陳列用の商品は、商品の上部に空けた孔にフック棒２を通すようにして吊り下げられ、陳列される。したがって、商品陳列フックが陳列棚の比較的下方に位置する場合、カードホルダー１を上に向けるように変更するとよい。このとき、カードホルダー１を上に向けるように回動させると、ホルダー本体５の回動支持部６，７の凹部１０，１１に嵌った支持部２０の凸部２３，２４は、そこから縁部を乗り越えて下傾斜凹部１４，１５に嵌入し、上向きの状態となる。このように、カードホルダー１が上向きの状態となると、商品陳列フックが比較的低い位置にある場合でも、カードは見やすく表示することができる。
【００２５】
一方、商品陳列フックが陳列棚の比較的上方に位置する場合、カードホルダー１を下に向けるように変更するとよい。このとき、カードホルダー１を下に向けるように回動させると、ホルダー本体５の回動支持部６，７の凹部１０，１１に嵌った支持部２０の凸部２３，２４は、そこから縁部を乗り越えて上傾斜凹部１２，１３に嵌入し、下向きの状態となる。
【００２６】
また、カードホルダー１を上方に所定角度だけ傾けた場合であっても、上記と同様に、カードホルダー１の左右の向きは、ホルダー棒３の水平部を嵌め込む支持部２０の水平溝２６または傾斜溝２７，２８を変えることにより、角度調整することができる。
【００２７】
なお、上記実施形態では、ホルダー棒３の曲折先端部３ａが上向きに曲げられ、その部分に上方から嵌め込んだ支持部２０に対する回動支持部６，７の上下の向きの調整を、凸部２３，２４と凹部１０，１１または上傾斜凹部１２，１３または下傾斜凹部１４，１５の嵌合により行ったが、図１３に示すように、ホルダー棒３の曲折先端部３ｂを横方向に向けて曲げ、その横向きの曲折先端部３ｂに支持部２０を横方向からその嵌着縦孔２５に嵌め込むようにすれば、上記の実施例とは、上下方向の角度調整と左右方向の角度調整を逆の形態で行うことができる。
【００２８】
この場合、図１３に示すように、ホルダー本体５５は、上記のホルダー本体５とは９０度回動させた状態でその背面に回動支持部６，７を突設する、つまり、ホルダー本体５５の背面の上と下に回動支持部６，７が突設される。このように、ホルダー本体５５を上記の回動支持部６，７及び支持部２０に対し、右または左に９０度回動させた状態とし、ホルダー棒３の先端で横向きに曲げられた曲折先端部３ｂに、回動支持部６，７の間に嵌着された支持部２０の嵌着縦孔を嵌めることにより、ホルダー本体つまりカードホルダーの左右の向きを簡単に変えることができる。
【００２９】
【発明の効果】
以上説明したように、本発明の商品陳列フック用カードホルダーによれば、カードホルダーの表示面の向きを、例えば上下にまたは左右に所定角度だけ変えて表示したい場合、カードホルダーをその方向に回すと、カードホルダーのホルダー本体の回動支持部は、支持部に対し軸部を軸に回動し、凸部と凹部が嵌合した回動位置で静止し、カードホルダーの表示面の向きを所定の角度に簡単に変更することができる。
【００３０】
また、ホルダー棒の曲折先端部が嵌着する嵌着縦孔を支持部に設けると共に、ホルダー棒の水平部が嵌合可能な水平溝と傾斜溝を設け、支持部のホルダー棒に対する装着角度を変えるとき、曲折先端部を軸として支持部を回動させ、ホルダー棒の水平部が嵌合される位置を水平溝または傾斜溝で変更して角度を変えるように構成することにより、さらに、カードホルダーの表示面の向きを左右に或いは上下に変えることができる。
【図面の簡単な説明】
【図１】本発明の一実施形態を示す商品陳列フックの左側面図である。
【図２】同商品陳列フックの平面図である。
【図３】同商品陳列フックのカードホルダーの正面図である。
【図４】同カードホルダーの正面図である。
【図５】同カードホルダーの背面図である。
【図６】同カードホルダーの左側面図である。
【図７】ホルダー本体５と回動支持部６，７の背面図（ａ）、中央断面図（ｂ）、及び底面図（ｃ）である。
【図８】支持部２０の左側面図（ａ）、底面図（ｂ）、平面図（ｃ）、及び背面図（ｄ）である。
【図９】ホルダー本体５の回動支持部６，７と支持部２０の分解・組付背面図である。
【図１０】ホルダー本体５の回動支持部６，７と支持部２０の分解・組付側面図である。
【図１１】使用状態を示す左側面図である。
【図１２】使用状態を示す平面図である。
【図１３】他の実施形態を示す商品陳列フックとカードホルダーの平面図である。
【符号の説明】
１−カードホルダー
２−フック棒
３−ホルダー棒
４−装着部
５−ホルダー本体
６，７−回動支持部
８，９−軸受孔
１０，１１−凹部
１２，１３−上傾斜凹部
１４，１５−下傾斜凹部
２０−支持部
２１、２２−軸部
２３，２４凸部
２５−嵌着縦孔
２６―水平溝
２７，２８−傾斜溝
【図１】
2004029187.tif 000003
【図２】
2004029187.tif 000004
【図３】
2004029187.tif 000005
【図４】
2004029187.tif 000006
【図５】
2004029187.tif 000007
【図６】
2004029187.tif 000008
【図７】
2004029187.tif 000009
【図８】
2004029187.tif 000010
【図９】
2004029187.tif 000011
【図１０】
2004029187.tif 000012
【図１１】
2004029187.tif 000013
【図１２】
2004029187.tif 000014
【図１３】
2004029187.tif 000015